(57)【要約】【課題】分析カラムを最後に通過した移動相の種類を容易に把握することができるクロマトグラフィーシステムを提供すること。【解決手段】クロマトグラフィーシステム１は、複数種の移動相Ｑが通過する流路１３を有する装置本体１１と、流路１３の途中に交換可能に配置され、移動相Ｑに含まれる試料を複数の成分に分離する分析カラム１２１と、分析カラム１２１を交換する際、分析カラム１２１を最後に通過した移動相の種類を入力可能な入力部１７と、装置本体１１に配置され、入力部１７から入力された移動相Ｑの種類と、その記憶される移動相Ｑが通過した分析カラム１２１の情報とを対応付けて記憶する第１記憶部１６を備える。【選択図】図１
2020148604.tif 000002
【特許請求の範囲】
【請求項１】
複数種の移動相が通過する流路を有する装置本体と、
前記流路の途中に交換可能に配置され、前記移動相に含まれる試料を複数の成分に分離する分析カラムと、
前記分析カラムを交換する際、前記分析カラムを最後に通過した前記移動相の種類を入力可能な入力部と、
前記装置本体に配置され、前記入力部から入力された前記移動相の種類と、その記憶される前記移動相が通過した前記分析カラムの情報とを対応付けて記憶する記憶部を備えるクロマトグラフィーシステム。
【請求項２】
前回使用した分析カラムから今回使用する分析カラムに、使用する分析カラムを変更する指示がユーザ操作に基づいて入力された場合、前回使用した分析カラムに対して、最後に通過した前記移動相の入力をユーザに促す画面を表示装置に表示させる制御部をさらに備える請求項１に記載のクロマトグラフィーシステム。
【請求項３】
前記分析カラムに付され、該分析カラムの個体情報を記憶し、前記装置本体と電気的に接続される分析カラム側記憶部を備え、
前記装置本体に対する前記分析カラム側記憶部の電気的な接続が解除されたときに、前記入力部への入力が可能となる請求項１に記載のクロマトグラフィーシステム。
【請求項４】
前記記憶部に記憶された前記移動相の種類と、前記分析カラムの情報とを表示装置に表示させる表示部を備える請求項１に記載のクロマトグラフィーシステム。
【請求項５】
前記装置本体では、前記流路を前記複数種の移動相が混合して通過し、
前記入力部は、前記複数種の移動相の混合比を入力可能である請求項１に記載のクロマトグラフィーシステム。
【請求項６】
前記記憶部は、前記移動相の種類に関する情報が予め記憶されており、
前記入力部は、前記最後に通過した前記移動相の種類を、前記情報から選択可能である請求項１に記載のクロマトグラフィーシステム。
【発明の詳細な説明】
【技術分野】
【０００１】
本発明は、クロマトグラフィーシステムに関する。
【背景技術】
【０００２】
分析対象である移動相を分析カラムによって複数の成分、すなわち、分析物に分離するクロマトグラフィーシステムが知られている（例えば、特許文献１参照）。
一般的に、クロマトグラフィーシステムでは、分析終了後に、分析カラム内の固定相を有機溶媒等の洗浄液で洗浄することがある。そして、この洗浄された分析カラムは、次の分析で用いられる。
【０００３】
また、分析カラムは、種々の分析で用いられる、すなわち、使い回される。そのため、分析を行う際、直近で使用された、すなわち、最後に使用された洗浄液の種類によっては、当該洗浄液が分析結果に影響を及ぼすおそれがある。
そこで、最後に使用された洗浄液の種類を把握するために、当該種類を付箋やノート等にアナログ的に記入して、分析カラムに添付する方法が採られている。
【先行技術文献】
【特許文献】
【０００４】
【特許文献１】特開２００８−２０９３２７号公報
【発明の概要】
【発明が解決しようとする課題】
【０００５】
しかしながら、洗浄液の種類が記載された付箋を分析カラムに添付する方法では、当該付箋が分析カラムから剥がれ落ちてしまう場合がある。この場合、使用予定の分析カラムが最後にどの洗浄液で洗浄されたかを把握するのが困難となるという問題が生じる。
【０００６】
この発明は上記課題を解決するためになされたものであり、分析カラムを最後に通過した移動相の種類を容易に把握することができるクロマトグラフィーシステムを提供することにある。
【課題を解決するための手段】
【０００７】
本発明の第１の態様は、複数種の移動相が通過する流路を有する装置本体と、
前記流路の途中に交換可能に配置され、前記移動相に含まれる試料を複数の成分に分離する分析カラムと、
前記分析カラムを交換する際、前記分析カラムを最後に通過した前記移動相の種類を入力可能な入力部と、
前記装置本体に配置され、前記入力部から入力された前記移動相の種類と、その記憶される前記移動相が通過した前記分析カラムの情報とを対応付けて記憶する記憶部を備えるクロマトグラフィーシステムに関する。
【発明の効果】
【０００８】
本発明によれば、入力部から入力された移動相の種類を記憶するとともに、その記憶される移動相が通過した分析カラムを記憶することができる。これにより、使用予定の分析カラムに関して、当該最後に通過した移動相の種類を容易に把握することができる。
【図面の簡単な説明】
【０００９】
【図１】図１は、本発明のクロマトグラフィーシステムの第１実施形態を示す概略図（ブロック図）である。
【図２】図２は、図１に示すクロマトグラフィーシステムが備える表示部に表示される画像一例である。
【図３】図３は、図１に示すクロマトグラフィーシステムが備える表示部に表示される画像の一例である。
【図４】図４は、図１に示すクロマトグラフィーシステムが備える表示部に表示される画像の一例である。
【図５】図５は、図１に示すクロマトグラフィーシステムが備える表示部に表示される画像の一例である。
【図６】図６は、図１に示すクロマトグラフィーシステムが備える表示部に表示される画像の一例である。
【図７】図７は、図１に示すクロマトグラフィーシステムが備えるシステム管理装置の制御プログラムを示すフローチャートである。
【図８】図８は、発明のクロマトグラフィーシステム（第２実施形態）が備えるシステム管理装置の制御プログラムを示すフローチャートである。
【図９】図９は、本発明のクロマトグラフィーシステムの第３実施形態を示す概略図（ブロック図）である。
【図１０】図１０は、図９に示すクロマトグラフィーシステムが備える表示部に表示される画像の一例である。
【発明を実施するための形態】
【００１０】
以下、本発明のクロマトグラフィーシステムを添付図面に示す好適な実施形態に基づいて詳細に説明する。
＜第１実施形態＞
図１は、本発明のクロマトグラフィーシステムの第１実施形態を示す概略図（ブロック図）である。図２〜図６は、それぞれ、図１に示すクロマトグラフィーシステムが備える表示部に表示される画像の一例である。図７は、図１に示すクロマトグラフィーシステムが備えるシステム管理装置の制御プログラムを示すフローチャートである。
【００１１】
以下では、一例として、クロマトグラフィーシステム１を、移動相Ｑの一種である液体の試料に対して複数の分析条件で分析を行う液体クロマトグラフィーシステムに適用した場合について説明するが、クロマトグラフィーシステム１は、超臨界流体クロマトグラフィーシステムやガスクロマトグラフィーシステムに対しても同様に適用することができる。
【００１２】
図１に示すように、クロマトグラフィーシステム１は、当該クロマトグラフィーシステム１での装置本体１１を構成する送液装置２、オートサンプラ４、カラムオーブン６、検出器８およびシステム管理装置１０と、装置本体１１に対して着脱自在に交換される分析カラム１２１とを備えている。
【００１３】
送液装置２、オートサンプラ４、カラムオーブン６および検出器８は、移動相Ｑが流れる方向に沿って、すなわち、上流側から下流側に向かって、この順に配置されている。また、送液装置２、オートサンプラ４、カラムオーブン６および検出器８は、流路１３を構成する配管を介して、接続されている。移動相Ｑは、流路１３を通過することができる。
なお、移動相Ｑとしては、分析対象である試料の他に、例えば、分析時に用いられる緩衝液や、固定相を洗浄する有機溶媒等の洗浄液等が挙げられる。
【００１４】
また、システム管理装置１０は、送液装置２、オートサンプラ４、カラムオーブン６および検出器８と電気的に接続されている。このシステム管理装置１０は、例えば、論理演算を実行するＣＰＵ、送液装置２等の制御に必要な動作プログラムが格納されたＲＯＭ、制御時にデータ等が一時的にストアされるＲＡＭ等から構成され、クロマトグラフィーシステム１全体を制御することができる。システム管理装置１０は、後述するように前回使用した分析カラム１２１から今回使用する分析カラム１２１に、使用する分析カラム１２１を変更する指示がユーザ操作に基づいて入力された場合、前回使用した分析カラム１２１に対して、最後に通過した移動相Ｑの入力をユーザに促す画面を表示装置に表示させる制御部として機能する。
【００１５】
送液装置２は、例えば送液ポンプを有し、この送液ポンプによって、流路１３内で移動相Ｑを下流側に向かって移送することができる。また、送液ポンプの回転数を変更することにより、移動相Ｑの移送速度を調整することができる。
オートサンプラ４は、流路１３に移動相Ｑを注入するためのものである。
カラムオーブン６には、分析カラム１２１を装填することができる。これにより、分析カラム１２１は、流路１３の途中に配置された状態となり、オートサンプラ４から注入された移動相Ｑが試料を含む場合、当該試料を複数の成分に分離することができる。
【００１６】
また、カラムオーブン６は、例えば通電により発熱するヒータを有し、移動相Ｑが試料を含む場合、このヒータによって分析カラム１２１を試料ごと加熱することができる。これにより、試料の温度を所定の温度に調節することができる。
検出器８は、分析カラム１２１で分離された成分を検出するためのものである。
【００１７】
前述したように、クロマトグラフィーシステム１は、カラムオーブン６に分析カラム１２１を装填して用いられる。クロマトグラフィーシステム１では、分析対象である試料の種類や、分析カラム１２１に充填されている固定相の種類等のような分析条件に応じて、分析カラム１２１が適宜交換される。
【００１８】
クロマトグラフィーシステム１では、分析カラム１２１の交換直前に、すなわち、分析カラム１２１を用いた一連の分析が終了した後に、当該分析カラム１２１内の固定相を洗浄液で洗浄することがある。そして、この洗浄された分析カラム１２１を、次の分析で用いることができる。
【００１９】
また、洗浄済みの分析カラム１２１を次の分析で用いた場合、先の分析後に使用された洗浄液の種類によっては、この洗浄液が当該次の分析での分析結果に影響を及ぼすおそれがある。
そこで、クロマトグラフィーシステム１は、使用予定の分析カラム１２１に対して、直前にどの洗浄液で洗浄されたかの把握が可能に構成されている。以下、この構成および作用について説明する。また、クロマトグラフィーシステム１を用いた分析は、前記のように経時的に複数回行われる。以下では、今現在行っている分析を「今回の分析」といい、今回の分析の直前に行われていた分析を「前回の分析」といい、今回の分析の直後に行われる分析を「次回の分析」という。
【００２０】
図１に示すように、クロマトグラフィーシステム１は、システム管理装置１０を備える。このシステム管理装置１０は、分析条件設定部１４と、判断部１５と、入力部１７と、表示部１８と、第１記憶部１６とを備える。
また、クロマトグラフィーシステム１では、分析カラム１２１は、分析カラム１２１に付された第２記憶部（分析カラム側記憶部）１２２とともにカラムユニット１２を構成する。分析カラム１２１が交換される際には、第２記憶部１２２ごと、その交換が行われる。第２記憶部１２２は、装置本体１１の第１記憶部１６等と電気的に接続される。
【００２１】
分析条件設定部１４は、分析条件を複数設定することができる。分析条件には、例えば、試料の種類、移動相の種類、分析カラム１２１に充填されている固定相の種類等が含まれる。これにより、クロマトグラフィーシステム１は、試料の分析を複数の分析条件で行うことができる。
【００２２】
例えば、分析対象である試料が２種類がある場合、一方の試料の分析を行うときには、分析条件設定部１４によって第１分析条件が設定され、他方の試料の分析を行うときには、分析条件設定部１４によって、第１分析条件と異なる第２分析条件が設定される。第１分析条件では、一方の試料の分析に適合した移動相、分析カラム１２１が用いられ、第２分析条件では、他方の試料の分析に適合した移動相、分析カラム１２１が用いられる。
【００２３】
判断部１５は、例えば、分析条件設定部１４によって設定された分析条件が選択可能か否かの判断等を行う。
第１記憶部１６には、移動相Ｑの種類に関する第１情報が予め記憶されている。第１記憶部１６は、第１情報を、例えば、各移動相Ｑの名称や番号等で記憶することができる。また、第１記憶部１６は、第２記憶部１２２に記憶されている第２情報を読み込んで、この第２情報も記憶することができる。
第２記憶部１２２には、分析カラム１２１の個体情報である第２情報が記憶されている。第２情報としては、例えば、分析カラム１２１の名称（カラム名）、分析カラム１２１のＩＤ（カラムＩＤ）、分析カラム１２１の番号（カラムＮｏ）、分析カラム１２１の全長（長さ）、分析カラム１２１の内径がある（図２、図３参照）。また、このような情報の他に、第２情報としては、固定相の種類等も挙げられる。そして、第２情報により、分析カラム１２１自体を特定することができる。
【００２４】
表示部１８は、第１記憶部１６に記憶された第１情報（移動相Ｑの種類）および第２情報を表示することができる。表示部１８は、液晶画面１８１を有する。なお、本実施形態では、液晶画面１８１は、タッチパネル機能を有する。
第１情報としての移動相Ｑの種類は、図５および図６に示すようなポップアップメニュー２０で液晶画面１８１に表示される。図示の構成では、ポップアップメニュー２０には、６種の洗浄液（移動相Ｑ）の名称がそれぞれ付されたバー２０１、バー２０２、バー２０３、バー２０４、バー２０５、バー２０６が含まれている。これらのバー２０１〜バー２０６は、液晶画面１８１の上下方向に並んで配置されている。
【００２５】
また、液晶画面１８１には、ポップアップメニュー２０を呼び出す操作ボタン２１も表示される。クロマトグラフィーシステム１で分析作業を行う作業者ＯＰが液晶画面１８１上で操作ボタン２１を操作することにより、ポップアップメニュー２０が呼び出されて起動する。これにより、バー２０１〜バー２０６が一括して表示される。なお、タッチパネル機能が省略されている液晶画面１８１の場合には、液晶画面１８１にポインタを表示して、このポインタによって操作ボタン２１を操作することができる。
第２情報は、代表的に「分析カラム１２１の名称」が名称記載部２３に記載され、移動相Ｑの種類とともに液晶画面１８１に表示される。
【００２６】
入力部１７は、分析カラム１２１を交換する際、交換直前の分析カラム１２１を最後に通過した洗浄液である移動相Ｑ（以下「最終の移動相Ｑ」という）の種類を入力する操作部（入力フォーム）である。ここで、「交換」とは、実際に交換される場合の他に、交換される可能性がある場合も含む。また、入力部１７での入力操作は、例えば、作業者ＯＰにより行われる。本実施形態では、入力部１７は、ポップアップメニュー２０と操作ボタン２１とで構成され、図４、図５、図６の順に操作される。
【００２７】
作業者ＯＰは、今回の分析終了後に分析カラム１２１に最終の移動相Ｑを流した際、最終の移動相Ｑの種類を入力することができる。この場合、まず、液晶画面１８１は、図２に示す状態で表示される。図２に示すように、液晶画面１８１には、第１記憶部１６に読み込まれて記憶された第２情報が表示されている。この第２情報は、カラムオーブン６に、前回の分析で使用されていた分析カラム１２１（以下「前回の分析カラム１２１」という）の情報である。図２に示す例では、第２情報として、分析カラム１２１の名称、分析カラム１２１のＩＤ、分析カラム１２１の番号、分析カラム１２１の全長、分析カラム１２１の内径が表示されている。
【００２８】
また、この液晶画面１８１には、第２情報の他に、設定ボタン２４が表示されている。設定ボタン２４は、入力部１７への入力が可能となる操作を行う操作部である。そして、図２に示すように、作業者ＯＰは、自身の指先を設定ボタン２４に近づけて、この設定ボタン２４を押圧操作する。これにより、図３に示すように、液晶画面１８１には、複数の分析カラム１２１の第２情報が表形式で表示される。この表２５中には、図２に示した前回の分析カラム１２１の第２情報と同じ第２情報も含まれている（表２５中の第１行目参照）。また、この第１行目の分析カラム１２１と異なる種類の別の分析カラム１２１の第２情報も含まれている（表２５中の第１０行目参照）。
【００２９】
次いで、作業者ＯＰは、表２５に示す複数の分析カラム１２１の中から、今回の分析で使用する分析カラム１２１（以下「今回の分析カラム１２１」という）を選択する。例えば、作業者ＯＰは、今回の分析カラム１２１として、表２５中の第１行目にある分析カラム１２１を指先で触れて選択したり、第１０行目にある分析カラム１２１を指先で触れて選択することができる。
【００３０】
そして、作業者ＯＰが今回の分析カラム１２１を選択した際、当該今回の分析カラム１２１が前回の分析カラム１２１と同じであれば、分析カラムが変更されないので、最終の移動相Ｑの種類の入力を省略することができる。
【００３１】
一方、今回の分析カラム１２１が前回の分析カラム１２１と異なる場合には、分析カラムが変更されることになるので、前回の分析カラム１２１に対して最終の移動相Ｑの種類の入力を要する。この場合、液晶画面１８１が図４に示す状態で表示される。図４に示すように、液晶画面１８１には、前回の分析カラム１２１の名称が記載された名称記載部２３と、ポップアップメニュー２０とが表示されている。作業者ＯＰは、図４に示すように自身の指先を操作ボタン２１に近づけて、図５に示すように操作ボタン２１を押圧操作する。これにより、ポップアップメニュー２０に含まれるバー２０１〜バー２０６が一括して表示される。
【００３２】
次いで、図６に示すように、作業者ＯＰは、最終の移動相Ｑの種類をバー２０１〜バー２０６から１つを選択して押圧操作する。これにより、第１記憶部１６には、入力部１７から入力された、すなわち、ポップアップメニュー２０から選択された最終の移動相Ｑの種類が記憶されるとともに、当該最終の移動相Ｑが通過した前回の分析カラム１２１の名称（第２情報）が相互に対応付けて記憶される。なお、図６では、一例として、バー２０３が押圧操作されており、このバー２０３に付された最終の移動相Ｑが前回のカラムの情報に対応付けて第１記憶部１６に記憶される。また、第１記憶部１６に記憶された最終の移動相Ｑに関する情報は、書き換え可能である。
【００３３】
そして、作業者ＯＰは、次回の分析で、前回の分析カラム１２１を再び用いようとした場合、第１記憶部１６に記憶された最終の移動相Ｑと、当該最終の移動相Ｑが通過した前回の分析カラム１２１の名称とを、必要に応じて呼び出すことができる。これにより、液晶画面１８１には、図６に示す状態が再度表示される。すなわち、名称記載部２３に分析カラム１２１の名称が記載され、バー２０３がハイライト表示となった液晶画面１８１が再現される。
【００３４】
作業者ＯＰは、この液晶画面１８１の内容を確認して、次回の分析で使用予定の分析カラム１２１は、最終の移動相Ｑとして、どの洗浄液で洗浄されたのかを確実に把握することができる。これにより、作業者ＯＰは、分析カラム１２１をそのまま用いてもよいか否かの判断をすることができる。この判断が否の場合、分析カラム１２１をあらためて洗浄する必要がある。
【００３５】
一方、次回の分析で、前回の分析カラム１２１と異なる分析カラム１２１を用いようとした場合でも、当該異なる分析カラム１２１と、この分析カラム１２１を通過した最終の移動相Ｑの種類とが第１記憶部１６に既に記憶されていれば、作業者ＯＰは、前記と同様に判断することができる。
【００３６】
次に、入力部１７が液晶画面１８１に表示されるまでのプログラムについて、図７に示すフローチャートを参照しつつ説明する。
まず、液晶画面１８１に表示された設定ボタン２４（図２参照）が押圧操作されたか否かを判断する（ステップＳ１０１）。
【００３７】
ステップＳ１０１での判断の結果、設定ボタン２４が未だ押圧操作されていないと判断された場合には、液晶画面１８１での設定ボタン２４の表示をそのまま維持する。
一方、ステップＳ１０１での判断の結果、設定ボタン２４が押圧操作されたと判断された場合には、液晶画面１８１に表２５（図３参照）を表示する（ステップＳ１０２）。この表２５は、今回の分析カラム１２１を選択する選択フォームである。作業者ＯＰは、前述したように、表２５の中から、今回の分析カラム１２１を選択することができる。
【００３８】
そして、表２５の中から分析カラム１２１が選択されたか否かを判断する（ステップＳ１０３）。
ステップＳ１０３での判断の結果、分析カラム１２１が未だ選択されていないと判断された場合には、液晶画面１８１での表２５の表示をそのまま維持する。
一方、ステップＳ１０３での判断の結果、分析カラム１２１が選択されたと判断された場合には、当該選択された今回の分析カラム１２１と、前回の分析カラム１２１とが同じか否かを判断する（ステップＳ１０４）。
【００３９】
ステップＳ１０４での判断の結果、今回の分析カラム１２１と、前回の分析カラム１２１とが同じではないと判断された場合には、入力部１７を液晶画面１８１に表示する（ステップＳ１０５）。
一方、ステップＳ１０４での判断の結果、今回の分析カラム１２１と、前回の分析カラム１２１とが同じであると判断された場合には、入力部１７の表示を省略する。
【００４０】
このようなプログラムにより、入力部１７への入力操作を必要に応じて行うことができる。そして、この入力情報は、最終の移動相Ｑの種類として、当該最終の移動相Ｑが通過した分析カラムとともに、第１記憶部１６に対応付けて記憶される。また、第１記憶部１６に記憶されたこれらの情報は、液晶画面１８１に適宜表示することもできる。
【００４１】
また、分析カラム１２１の特定情報に対応付けて最後に使用した移動相Ｑを記憶し、次のその分析カラム１２１を使用する際に、前回の最後に使用した移動相Ｑを表示することができる。分析カラム１２１の情報（特定情報）と、当該分析カラム１２１を通過した最終の移動相Ｑの情報（種類）とは、互いに関係付けて、すなわち、紐付けられて第１記憶部１６に記憶されている。これにより、分析カラム１２１と、当該分析カラム１２１を通過した最終の移動相Ｑとを、そのまま、液晶画面１８１に表示することができる。
【００４２】
また、クロマトグラフィーシステム１では、入力部１７がポップアップメニュー２０を有することにより、入力部１７への入力作業を簡素化することができ、または、入力作業の迅速化や入力ミス低減を図ることができる。
【００４３】
表示部１８と入力部１７とは、別構成となっていてもよいが、本実施形態では、表示部１８は、入力部１７を兼ねる構成となっている。これにより、クロマトグラフィーシステム１の構成を簡単にすることができる。
第１記憶部１６に記憶された最終の移動相Ｑに関する情報は、カラムユニット１２の第２記憶部１２２にも記憶されてもよい。この場合、最終の移動相Ｑを第２記憶部１２２から呼び出すことができる。
【００４４】
入力部１７への入力は、本実施形態では手動による入力であるが、これに限定されず、自動入力であってもよい。例えば、分析設定条件設定部１４に設定されている最終の分析に使用された移動相Ｑの種類が、自動的に最終の移動相Ｑとして第１記憶部１６に記憶される。
また、入力部１７への入力は、本実施形態ではポップアップメニュー２０からの選択、入力であるが、これに限定されず、例えば、作業者ＯＰによる液晶画面１８１上での文字や記号の入力であってもよい。
また、最終の移動相Ｑは、本実施形態では洗浄液としたが、これに限定されない。
【００４５】
＜第２実施形態＞
図８は、発明のクロマトグラフィーシステム（第２実施形態）が備えるシステム管理装置の制御プログラムを示すフローチャートである。
以下、この図を参照して本発明のクロマトグラフィーシステムの第２実施形態について説明するが、前述した実施形態との相違点を中心に説明し、同様の事項はその説明を省略する。
本実施形態は、フローチャートが異なること以外は前記第１実施形態と同様である。
【００４６】
前述したように、第２記憶部１２２は、装置本体１１に対して着脱自在に接続される。本実施形態では、装置本体１１に対する第２記憶部１２２の電気的な接続が解除されたときに、入力部１７への入力が可能となる。第２記憶部１２２の接続が解除される場合は、分析カラム１２１の交換がなされるときである。
【００４７】
以下、このような構成に則して、入力部１７が液晶画面１８１に表示されるまでのプログラムについて、図８に示すフローチャートを参照しつつ説明する。
まず、第２記憶部１２２が抜去されて、装置本体１１に対して接続が解除されたか否かを判断する（ステップＳ２０１）。
【００４８】
ステップＳ２０１での判断の結果、第２記憶部１２２の接続が解除されたと判断された場合には、入力部１７を液晶画面１８１に表示する（ステップＳ２０２）。
一方、ステップＳ２０１での判断の結果、第２記憶部１２２の接続が未だ解除されていない判断された場合には、第２記憶部１２２の接続が解除されたと判断されるまで、その状態を維持する。
このようなプログラムにより、作業者ＯＰは、忘れずに、分析カラム１２１を最終の移動相Ｑの種類を入力する入力操作を行うことができる。
【００４９】
＜第３実施形態＞
図９は、本発明のクロマトグラフィーシステムの第３実施形態を示す概略図（ブロック図）である。図１０は、図９に示すクロマトグラフィーシステムが備える表示部に表示される画像の一例である。
以下、これらの図を参照して本発明のクロマトグラフィーシステムの第３実施形態について説明するが、前述した実施形態との相違点を中心に説明し、同様の事項はその説明を省略する。
本実施形態は、装置本体の構成が異なること以外は前記第１実施形態と同様である。
【００５０】
図９に示すように、本実施形態では、装置本体１１は、分析カラム１２１よりも上流側で複数種の移動相Ｑを混合して、流路１３を通過させることができる。各移動相Ｑは、貯留部２２に独立して貯留されている。なお、移動相Ｑの種類は、図９に示す構成では２種であるが、これに限定されず、３種以上であってもよい。
【００５１】
分析カラム１２１よりも上流側には、各移動相Ｑの流量を調整する流量調整弁１９が配置されている。また、図１０に示すように、入力部１７は、複数種の移動相Ｑの混合比を入力することができる。流量調整弁１９は、入力部１７から入力された混合比に基づいて、各移動相Ｑの流量を調整することができる。これにより、各移動相Ｑの混合比を変更することができる。
【００５２】
また、最終の移動相Ｑが各移動相Ｑの混合液の場合、その混合比を第１記憶部１６に記憶することができる。作業者ＯＰは、当該混合比を第１記憶部１６から呼び出して、液晶画面１８１に表示させることができる。これにより、使用予定の分析カラム１２１（次回の分析カラム１２１）に対して、直前にどのような混合比の洗浄液で洗浄されたかを容易に把握することができる。
【００５３】
以上、本発明のクロマトグラフィーシステムを図示の実施形態について説明したが、本発明は、これに限定されるものではなく、クロマトグラフィーシステムを構成する各部は、同様の機能を発揮し得る任意の構成のものと置換することができる。また、任意の構成物が付加されていてもよい。
【００５４】
また、本発明のクロマトグラフィーシステムは、前記各実施形態のうちの、任意の２以上の構成（特徴）を組み合わせたものであってもよい。
また、分析終了後には、第１記憶部１６に記憶された最終の移動相Ｑの情報を一旦クリアする（消去する）こともできる。
【００５５】
［態様］
上述した複数の例示的な実施形態は、以下の態様の具体例であることが当業者により理解される。
【００５６】
（第１項）一態様に係るクロマトグラフィーシステム（１）は、
複数種の移動相（Ｑ）が通過する流路（１３）を有する装置本体（１１）と、
前記流路（１３）の途中に交換可能に配置され、前記移動相（Ｑ）に含まれる試料を複数の成分に分離する分析カラム（１２１）と、
前記分析カラム（１２１）を交換する際、前記分析カラム（１２１）を最後に通過した前記移動相（Ｑ）の種類を入力可能な入力部（１７）と、
前記装置本体（１１）に配置され、前記入力部（１７）から入力された前記移動相（Ｑ）の種類と、その記憶される前記移動相（Ｑ）が通過した前記分析カラム（１２１）の情報とを対応付けて記憶する記憶部（１６）を備える
【００５７】
第１項に記載のクロマトグラフィーシステムによれば、入力部から入力された移動相の種類を記憶するとともに、その記憶される移動相が通過した分析カラムを記憶することができる。これにより、使用予定の分析カラムに関して、当該最後に通過した移動相の種類を容易に把握することができる。
【００５８】
（第２項）第１項に記載のクロマトグラフィーシステム（１）において、
前回使用した分析カラム（１２１）から今回使用する分析カラム（１２１）に、使用する分析カラム（１２１）を変更する指示がユーザ操作に基づいて入力された場合、前回使用した分析カラム（１２１）に対して、最後に通過した前記移動相（Ｑ）の入力をユーザに促す画面を表示装置に表示させる制御部（１０）をさらに備える。
【００５９】
第２項に記載のクロマトグラフィーシステムによれば、例えば、所望のタイミングで、入力部からの入力情報を表示させることができる。
【００６０】
（第３項）第１項に記載のクロマトグラフィーシステム（１）において、
前記分析カラム（１２１）に付され、該分析カラムの個体情報を記憶し、前記装置本体（１１）と電気的に接続される分析カラム側記憶部（１２２）を備え、
前記装置本体（１１）に対する前記分析カラ側記憶部（１２２）の電気的な接続が解除されたときに、前記入力部（１７）への入力が可能となる
【００６１】
第３項に記載のクロマトグラフィーシステムによれば、例えば、忘れずに、分析カラムを最後に通過した移動相の種類を入力する入力操作を行うことができる。
【００６２】
（第４項）第１項に記載のクロマトグラフィーシステム（１）において、
前記記憶部（１６）に記憶された前記移動相（Ｑ）の種類と、前記分析カラム（１２１）の情報とを表示装置に表示させる表示部（１８）を備える。
【００６３】
第４項に記載のクロマトグラフィーシステムによれば、入力部への入力作業を簡素化することができ、または、入力作業の迅速化や入力ミス低減を図ることができる。
【００６４】
（第５項）第１項に記載のクロマトグラフィーシステム（１）において、
前記装置本体（１１）では、前記流路（１３）を前記複数種の移動相（Ｑ）が混合して通過し、
前記入力部（１７）は、前記複数種の移動相（Ｑ）の混合比を入力可能である。
【００６５】
第５項に記載のクロマトグラフィーシステムによれば、混合比を適宜変更して調整することができる。
【００６６】
（第６項）第１項に記載のクロマトグラフィーシステム（１）において、
前記記憶部（１６）は、前記移動相（Ｑ）の種類に関する情報が予め記憶されており、
前記入力部（１７）は、前記最後に通過した前記移動相（Ｑ）の種類を、前記情報から選択可能である。
【００６７】
第６項に記載のクロマトグラフィーシステムによれば、入力部への入力作業を簡素化することができ、または、入力作業の迅速化や入力ミス低減を図ることができる。
【符号の説明】
【００６８】
１            クロマトグラフィーシステム
２            送液装置
４            オートサンプラ
６            カラムオーブン
８            検出器
１０          システム管理装置
１１          装置本体
１２          カラムユニット
１２１        分析カラム
１２２        第２記憶部（分析カラム側記憶部）
１３          流路
１４          分析条件設定部
１５          判断部
１６          第１記憶部
１７          入力部
１８          表示部
１８１        液晶画面
１９          流量調整弁
２０          ポップアップメニュー
２０１        バー
２０２        バー
２０３        バー
２０４        バー
２０５        バー
２０６        バー
２１          操作ボタン
２２          貯留部
２３          名称記載部
２４          設定ボタン
２５          表
ＯＰ          作業者
Ｑ            移動相
Ｓ１０１〜Ｓ１０５  ステップ
Ｓ２０１〜Ｓ２０２  ステップ
【図１】
2020148604.tif 000003
【図２】
2020148604.tif 000004
【図３】
2020148604.tif 000005
【図４】
2020148604.tif 000006
【図５】
2020148604.tif 000007
【図６】
2020148604.tif 000008
【図７】
2020148604.tif 000009
【図８】
2020148604.tif 000010
【図９】
2020148604.tif 000011
【図１０】
2020148604.tif 000012